(57)【要約】      （修正有）【課題】石鹸液で体を洗うと共に、多数個の突部によりマッサージを行うマッサージ具を提供する。【解決手段】マッサージ具１は上端の開口部２から下方に拡がった袋体形状をしており、外面部４には、多数の突部５が縦横に所定間隔で配列されている。隣接する突部５同士の中間位置には、多数の孔部６が縦横方向に所定間隔で配列され、突部５及び孔部６は交互に格子状に配置されている。ムース状の石鹸液が付着したマッサージ具１を皮膚に擦り付けることで、体の汚れを落とすと共に、突部５が皮膚を刺激して、血行を促進し、マッサージ効果を得る。【選択図】図１
0003206459.tif 000002
【実用新案登録請求の範囲】
【請求項１】
軟質の合成樹脂製で固形石鹸を収納する袋体から成るマッサージ具であって、前記袋体の上部に伸縮性を有する開口部を設け、前記袋体の外側面に複数の孔部及び外方を向く複数の突部を設け、前記袋体の下部に水抜孔を形成したことを特徴とするマッサージ具。
【請求項２】
前記突部は縦横に所定間隔で配列されており、隣接する前記突部同士の中間位置に前記孔部を配列したことを特徴とする請求項１に記載のマッサージ具。
【請求項３】
前記開口部の下部に引掛孔を設けたことを特徴とする請求項１又は２に記載のマッサージ具。
【請求項４】
前記突部は円錐状であることを特徴とする請求項１〜３の何れか１項に記載のマッサージ具。
【考案の詳細な説明】
【技術分野】
【０００１】
本考案は、伸縮性を備える袋体であって、固形石鹸を収納して使用するマッサージ具に関するものである。
【背景技術】
【０００２】
特許文献１には、石鹸を収納して、身体をマッサージするようにしながら洗浄可能な固形石鹸収納用袋体が開示されている。この固形石鹸収納用袋体は疎水性合成樹脂製の網状シート体から成り、開口部には紐通し部が形成されている。この開口部から石鹸を挿入し、紐通し部に挿通された紐体を絞ることにより、巾着式に開口部を閉じることができる。
【先行技術文献】
【特許文献】
【０００３】
【特許文献１】特開２０００−５０９１号公報
【考案の概要】
【考案が解決しようとする課題】
【０００４】
特許文献１の固形石鹸収納用袋体で体を洗浄するすると、固形石鹸収納用袋体は皮膚を刺激する突起等を有しないために、皮膚に対する洗浄には効果があっても、皮膚の血行の促進するマッサージ効果は少ない。また、紐体による巾着式に開口部は、体を洗っていると紐体がほどけることがあり、収納している固形石鹸が飛び出すこともある。
【０００５】
本考案の目的は、上述の課題を解消し、石鹸液を供給しながら、突部により皮膚に刺激を与えるマッサージ効果の高いマッサージ具を提供することにある。
【課題を解決するための手段】
【０００６】
上記目的を達成するための本考案に係るマッサージ具は、軟質の合成樹脂製で固形石鹸を収納する袋体から成るマッサージ具であって、前記袋体の上部に伸縮性を有する開口部を設け、前記袋体の外側面に複数の孔部及び外方を向く複数の突部を設け、前記袋体の下部に水抜孔を形成したことを特徴とする。
【考案の効果】
【０００７】
本考案に係るマッサージ具によれば、泡立ったムース状の石鹸液で体を洗うと共に、多数個の突部により皮膚を刺激することで血行が促進し、マッサージ効果を得ることができる。
【図面の簡単な説明】
【０００８】
【図１】開口部を上方に向けた状態のマッサージ具の斜視図である。
【図２】開口部を下方に向けた状態の斜視図である。
【図３】固形石鹸を収納した状態の断面図である。
【考案を実施するための形態】
【０００９】
本考案を図示の実施例に基づいて詳細に説明する。
図１は袋体から成り、開口部を上方に向けた状態のマッサージ具の斜視図であり、図２は開口部を下方に向けた状態の斜視図である。マッサージ具１の大きさは、横幅が１０ｃｍ、高さが１０ｃｍ程度、厚みが２ｃｍ程度であり、使用する人の手の大きさやマッサージ具１内に収納する固形石鹸Ｓの大きさ等に応じて適宜のサイズを選択することが可能である。
【００１０】
マッサージ具１は例えばシリコンゴムのような弾性を有し、伸縮自在の厚み１〜２ｍｍ程度の軟質の樹脂シート体から成る。マッサージ具１の色は白以外の有色のものが好ましく、更には半透明体の樹脂であってもよい。この場合は、収納した固形石鹸Ｓの残っている大きさを容易に確認することが可能である。
【００１１】
マッサージ具１は上端の開口部２から下方に拡がった巾着状の袋体形状をしており、マッサージ具１の内部を空とした状態においては偏平となっている。また、マッサージ具１の開口部２は下方である胴部３に比べて狭まっており、開口部２の横幅は５ｃｍ程度とされており、開口部２は伸縮自在に拡開するようにされている。
【００１２】
マッサージ具１の偏平状の表裏面である外面部４には、多数の突部５が縦横に所定間隔で配列されている。また、隣接する突部５同士の中間位置には、多数の孔部６が縦横方向に所定間隔で配列され、突部５及び孔部６は交互に格子状に配置されている。
【００１３】
突部５は根元の直径は５ｍｍ、高さは５ｍｍ程度上方を丸くした円錐状であり、孔部６も直径５ｍｍ程度の円形である。これらの突部５及び孔部６の大きさ、配置間隔は適宜に採用することが可能である。
【００１４】
また、マッサージ具１の底部には複数個のスリット状の水抜孔７が等間隔に設けられている。更に、開口部２の中央下であってマッサージ具１の上方の外面部４には、直径が１０ｍｍ程度で、保管時にフック等に係止するための引掛孔８が設けられている。
【００１５】
使用に際しては、先ず、開口部２を拡開して固形石鹸Ｓを図３の断面図に示すようにマッサージ具１内に収納する。固形石鹸Ｓをマッサージ具１内に収納後は、開口部２が自然に収縮して、マッサージ具１の上下を逆さにしても開口部２に固形石鹸Ｓが引っ掛かり、マッサージ具１から脱落することはない。
【００１６】
続いて、マッサージ具１を湯水に浸すことで、孔部６を介して湯水がマッサージ具１内に入り込む。マッサージ具１に湯水が入った状態で、両手をマッサージ具１の外面部４に沿って上下左右に摺動させると、マッサージ具１内部の固形石鹸Ｓが溶融して孔部６から流出した石鹸水は、泡立ってムース状となる。
【００１７】
ムース状の石鹸液が付着したマッサージ具１を皮膚に擦り付けることで、体の汚れを落とすと共に、突部５が皮膚を刺激して、血行を促進し、マッサージ効果を得ることができる。また、マッサージ具１の外面部４は、石鹸成分により滑り易くなっているので、突部５は皮膚に引っ掛かることなく滑らかに刺激することが可能である。
【００１８】
また、石鹸液が不足した場合には再度湯水に浸して、両手で泡立てたり、皮膚に擦り付けたりして泡立てた後に、使用すればよい。
【００１９】
マッサージ具１の使用後は、引掛孔８をフックなどに引っ掛けておけば、マッサージ具１内の水は水抜孔７から下方に流出し、内部の固形石鹸Ｓの周囲の水分は流れ落ちる。水抜孔７から水分が流れ落ちることで、カビの発生や無駄に固形石鹸Ｓが水に溶け出すことを防止することができる。
【００２０】
また、固形石鹸Ｓが溶解して小さくなった場合には、新たな固形石鹸Ｓを追加したり、新たな固形石鹸Ｓと小さくなった固形石鹸Ｓを交換すればよい。
【００２１】
このように、本考案に係るマッサージ具１を用いることで、泡立ったムース状の石鹸液で体を洗うと共に、多数個の突部により皮膚を刺激して血行を促進させて、マッサージ効果を得ることができる。
【符号の説明】
【００２２】
１  マッサージ具
２  開口部
３  胴部
４  外面部
５  突部
６  孔部
７  水抜孔
８  引掛孔
【図１】
0003206459.tif 000003
【図２】
0003206459.tif 000004
【図３】
0003206459.tif 000005